(57)【要約】【課題】利用者の増加に対応して拡幅することが可能で、より多くの利用者が座ることができ椅子を提供する。【解決手段】第一の座台１１０及びこれを支持する第一の脚１１１を有する第一の椅子１１と、第一の椅子１１に収納される第二の座台１２０及びこの第二の座台１２０を支持する第二の脚１２１とを有する第二の椅子１２と、第二の椅子１２を引き出し方向に案内するガイド１３とを備える。第二の脚１２１にはキャスタなどの摩擦低減手段を設けてもよい。【選択図】 図１
2020171620.tif 000002
【特許請求の範囲】
【請求項１】
第一の座台及びこれを支持する第一の脚を有する第一の椅子と、前記第一の椅子に収納される第二の座台及びこの第二の座台を支持する第二の脚とを有する第二の椅子と、前記第二の椅子を引き出し方向に案内するガイドとを備えること、
を特徴とする椅子。
【請求項２】
前記第二の脚に、床面との摩擦を低減して前記第二の椅子を引き出しやすくする摩擦低減手段を設けたことを特徴とする請求項１に記載の椅子。
【請求項３】
所定の引き出し位置で前記第二の椅子が移動しないように規制するストッパを設けたことを特徴とする請求項１又は２に記載の椅子。
【請求項４】
前記第一の座台に前記第二の座台の収容部を形成し、前記第二の椅子を引き出した後に前記収容部に補助座台を嵌め込むように構成したことを特徴とする請求項１〜３のいずれかに記載の椅子。
【請求項５】
前記第一の椅子の背もたれ又は前記背もたれの一部を前記補助座台で構成し、前記第二の椅子を引き出した後に、前記収容部に補助座台を倒して前記第一の座台の座面となるようにしたことを特徴とする請求項４に記載の椅子。
【請求項６】
前記第二の椅子を左右両方向に引き出せるように構成したことを特徴とする請求項１〜５のいずれかに記載の椅子。
【請求項７】
前記第二の椅子を左右分割とし、左右に分割して引き出せるようにしたことを特徴とする請求項１〜５のいずれかに記載の椅子。
【請求項８】
前記第二の椅子に第三の椅子を設け、第二の椅子から第三の椅子をさらに引き出せるように構成したことを特徴とする請求項１〜７のいずれかに記載の椅子。
【発明の詳細な説明】
【技術分野】
【０００１】
本発明は、主として病院、介護施設、学校、役所などの公共機関、ホテル、駅、避難所を含む公共施設の待合室などに設置される椅子に関し、特に、その幅を適宜に拡張できるようにすることで、着座可能な利用者数を増やすことのできる椅子に関する。
【背景技術】
【０００２】
この種の椅子（ベンチ）としては、ハニカム構造による伸縮性を活かして、一人掛けから多人数掛けまで多様に利用できる段ボール製のベンチが知られている（非特許文献１参照）。
この段ボール製の伸縮ベンチは、病院、介護施設、学校、役所などの公共機関、ホテル、駅及び避難所を含む公共施設（以下、公共施設等という）の待合室などに設置されることを想定していて、利用者が増えた場合にベンチの幅を拡張してより多くの人が着座できるようにしている。
【先行技術文献】
【非特許文献】
【０００３】
【非特許文献１】伸縮可能な段ボール製ベンチ「Flexiblelove」（商品名）を紹介するホームページ（https://bouncy.news/1594）
【発明の開示】
【発明が解決しようとする課題】
【０００４】
ところで、これまで暗いイメージや無機質なイメージのあった病院などの公共施設等においては、近年、内装を明るくしたり、内装デザインに嗜好をこらしたりして、これまでのイメージの変化を図り、利用者がより気軽かつ安心して利用できるようした公共施設等が増えつつある。
しかし、上記の段ボール製の伸縮ベンチは、未だ外観としては段ボールの域を出ておらず、近年の公共施設等の内装デザインには合致しないことがあるなどの問題がある。
【０００５】
本発明は上記の課題に鑑みてなされたもので、公共施設等の待合室などに配置され、内装に合致した意匠に設計可能な通常形の椅子でありながら、利用者の増加に対応して簡単に拡幅することが可能で、より多くの利用者が座ることができ、かつ、低廉なコストで製造が可能な椅子の提供を目的とする。
【課題を解決するための手段】
【０００６】
上記課題を解決するために、請求項１に記載の発明は、第一の座台及びこれを支持する第一の脚を有する第一の椅子と、前記第一の椅子に収納される第二の座台及びこの第二の座台を支持する第二の脚とを有する第二の椅子と、前記第二の椅子を引き出し方向に案内するガイドとを備えることを特徴とする。
この構成によれば、通常は前記第一の椅子を椅子として使用し、混雑時などに前記第二の椅子を前記第一の椅子から引き出すことで、より多くの人が椅子を利用して座ることが可能になる。
【０００７】
請求項２に記載するように、前記第二の脚には車輪など床面との摩擦を低減する摩擦低減手段を設けてもよい。また、請求項３に記載するように、引き出し位置で前記第二の椅子が移動しないように規制するストッパを設けるとよい。
車輪などの摩擦低減手段を設けることで、高齢者や幼児であっても引き出しが容易になる。摩擦低減手段を用いることで前記第二の椅子の使用中に前記第二の椅子が動き易くなって不安定になるというおそれがあるが、請求項３に記載するようなストッパを設けることで、前記第二の椅子を安定的に使用することができる。
【０００８】
本発明の別の実施形態は、請求項４に記載するように、前記第一の座台に前記第二の座台の収容部を形成し、前記第二の椅子を引き出した後に前記収容部に補助座台を嵌め込むようにしてもよい。この補助座台は、第一の椅子又は第二の椅子と別体であってもよいし、前記第一の椅子又は前記第二の椅子に設けられているものであってもよい。
【０００９】
例えば請求項５に記載するように、前記第一の椅子の背もたれ又は前記背もたれの一部を前記補助座台で構成し、前記第二の椅子を引き出した後に、前記収容部に補助座台を倒して前記第一の座台の座面となるようにしてもよい。
このように構成すれば、前記第一の椅子の座面と前記第二の椅子の座面を同じ高さとすることができる。
【００１０】
本発明のさらに別の実施形態は、請求項６に記載するように、左右いずれの方向にも前記第二の椅子を引き出せる構成としてある。請求項７に記載するように、前記第二の椅子を左右分割とし、左右に分割して引き出せるようにしてもよい。また、請求項８に記載するように、前記第二の椅子の他に第三の椅子を設け、第二の椅子から第三の椅子をさらに引き出せるように構成してもよい。
【発明の効果】
【００１１】
本発明の椅子によれば、通常時においては第二の椅子を第一の椅子に収容しておき、通常の椅子として使用することができ、第一の椅子のデザインを種々工夫することで、例えば公共施設等の待合室などにおけるインテリアの一部として利用することも可能である。そして、混雑時などには、適宜に第一の椅子から第二の椅子を引き出すことで、より多くの利用者が座ることが可能になる。また、本発明の椅子は、簡素な構成であるため、通常の椅子を増設するよりもコストダウンを図ることが可能である。
【発明を実施するための最良の形態】
【００１２】
以下、本発明の好適な実施形態を、図面を参照しつつ詳細に説明する。
［第一の実施形態］
図１は、本発明の椅子の第一の実施形態にかかり、（ａ）は第二の椅子を第一の椅子に収納した状態を示す斜視図、（ｂ）は第一の椅子から第二の椅子を引き出した状態を示す斜視図、（ｃ）はスライドガイドの断面図で、(i)は位置決めロック前の状態、(ii)は位置決めロック後の状態を示している。
第一の実施形態の椅子１は、人が座る座台１１０と、この座台１１０を支持する四本の脚１１１と、座台１１０に立設された背もたれ１１２とを備えた第一の椅子１１と、この第一の椅子１１の座台１１０の下に収容される第二の椅子１２とを有している。
【００１３】
第二の椅子１２は、人が座る座台１２０と、この座台１２０を支持する四本の脚１２１を有している。第一の椅子１１の脚１１１と第二の椅子１２の脚１２１は、それぞれ座台１１０、１２０の四隅の近傍に配置されているが、第一の椅子１１の下から第二の椅子１２を引き出す際に、脚１１１，１２１が干渉しないように位置決めされている。特に図示はしないが、第二の椅子１２の脚１２１の先端にキャスターなどの摩擦低減手段を設けることで、軽い力で第二の椅子１２を引き出すことが可能になる。また、第一の椅子１１の正面から収容状態の第二の椅子１２が見えないように、第一の椅子１１の正面にカバーなどを設けてもよい。
【００１４】
第一の椅子１１と第二の椅子１２とを連結するとともに、第一の椅子１１の下から第二の椅子１２を引き出す際に第二の椅子１２の移動を案内するスライドガイド１３は、この実施形態では座台１１０の下面に設けられている。
第二の椅子１２の移動を案内することができるのであれば、スライドガイド１３の構成及び形態は問わないが、この実施形態では、図１（ｂ）に示すように、座台１１０の下面に設けられ、座台１１０又は脚１１１に取り付けられたガイドレール１３１と、このガイドレール１３１に進退移動自在に嵌装された棒状のスライダ１３２とを有する。
【００１５】
図１（ｃ）に示すように、スライダ１３２は断面凸状に形成されていて、ガイドレール１３１から突出する凸部の先端に第二の椅子１２の座台１２０又は脚１２１が取り付けられる。ガイドレール１３１の端部には貫通状の孔１３１ａが形成され、この孔１３１ａに挿入可能な凸体１３４がスライダ１３２の端部に形成された凸体の収容孔１３２ａに収容されている。凸体１３４は収容孔１３２ａの底部に挿入されたばね１３３によって常時ガイドレール１３１の底部壁に押し付けられていて、第二の椅子１２の引き出しによってスライダ１３２の端部がガイドレール１３１の端部の孔１３１ａまで移動すると、凸体１３４が孔１３１ａに嵌り込んでスライダ１３２の移動が規制される。
【００１６】
これにより、第一の椅子１１に対する第二の椅子１２の位置決めが行われるとともに、第一の椅子１１に対して第二の椅子１２が移動しないように規制される。凸体１３４が孔１３１ａに嵌り込むことによる規制は、孔１３１ａの開口から指などを挿入して凸体１３４を収容孔１３２ａ側に押し込むことで容易に解除することができる。
【００１７】
上記構成の椅子１においては、通常は第一の椅子１１の下に第二の椅子１２を収容しておき、単体の椅子１として各種施設のロビーや待合室などの適宜の場所に配置しておく。
混雑時などにより多くの人が椅子１を利用できるようにするには、第一の椅子１１の下から第二の椅子１２を横方向に引き出せばよい。ガイドレール１３１に案内されながらスライダ１３２が移動することで、第二の椅子１２を第一の椅子１１に対してスムースに引き出すことができ、凸体１３４が孔１３１ａに嵌り込むことで、第一の椅子１１に対する第二の椅子１２の引き出し位置が決定される。
また、凸体１３４の作用によって第二の椅子１２に人が座っても、第二の椅子１２が容易に移動しない。そして、凸体１３４による規制を解除することで、第二の椅子１２を第一の椅子１１の下に収容することが可能になる。
【００１８】
［第二の実施形態］
図２は、本発明の椅子の第二の実施形態にかかり、（ａ）は第二の椅子を第一の椅子に収納した状態を示す斜視図、（ｂ）は第一の椅子から第二の椅子を引き出した状態を示す斜視図、（ｃ）は第一の椅子の座台収容部に副背もたれを倒して嵌め込んだ状態を示す斜視図である。
【００１９】
この実施形態の椅子２は、座台２１０とこの座台２１０の四隅近傍に設けられた四本の脚２１１と、座台２１０から立設された背もたれ２１２と、この背もたれ２１２の前面に配置され、座台２１０側に回動させることが可能な副背もたれ２１２ａとを有する第一の椅子２１と、座台２２０と、この座台２２０の一方側の二隅の近傍に配置された二本の脚２２１とを有する第二の椅子２２とを有している。
【００２０】
第一の椅子２１の座台２１０は、前端縁と後端縁とを残して中央部分を欠落させた凹状に形成されている。そして、この凹状の部分が、第二の椅子２２の座台２２０を収容する座台収容部２１０ａとして形成されている。台収容部２１０ａの底部には、第二の椅子２２の二本の脚２２１を収容するための長孔状の脚収容孔２１０ｂが二カ所に形成されている。
この実施形態においては、座台２１０の底面から突出する前端縁及び後端縁の少なくとも一方がスライドガイド２３として形成されている。スライドガイド２３の構成は第一の実施形態のスライドガイド１３と同じとしてもよい。
【００２１】
この実施形態の椅子２においては、通常は第一の椅子２１と一体になった状態で第二の椅子２２が収容されていて、第二の椅子２２の座台２２０が第一の椅子２１の座台２１０の一部を構成している。
混雑時などにより多くの人が椅子２を利用できるようにするには、第一の椅子２１から第二の椅子２２を横方向に引き出せばよい。スライドガイド２３又は座台２１０の前端縁と後端縁とに案内されることで、第二の椅子２２を第一の椅子１１に対してスムースに引き出すことができる。第二の椅子２２の引き出し位置の決定及び移動の規制は、第一の実施形態と同様の凸体１３４と孔１３１ａとをスライドガイド２３に設けるか、座台２１０の前端縁及び／又は後端縁に設ければよい。
【００２２】
［第二の実施形態の応用例］
図３は、第二の実施形態の応用例にかかる椅子の斜視図である。この応用例では、第二の実施形態の変形例で、椅子２′は第二の実施形態の椅子２にさらに第三の椅子２３を設けたものである。図３は、第一の椅子２１から第二の椅子２２′及び第三の椅子２３を引き出した状態を示している。図３において、第二の実施形態の椅子２と同じ部分・同じ部材には同じ符号を付して、以下では詳細な説明は省略する。
【００２３】
第二の椅子２２′の座台２２０′は、座台２１０と同様に凹状に形成されていて、当該部分が第三の椅子２３の座台２３０を収容する座台収容部として形成されている。この座台収容部には、第三の椅子２３の座台２３０を支持する二本の脚２３１を収容するための長孔状の脚収容孔（先の実施形態の収容脚２１０ｂと同様の孔）が二カ所に形成される。
【００２４】
この実施形態においては、第二の椅子２２′及び第三の椅子２３を第一の椅子２１から引き出すことで、椅子２′を三人掛けとすることができる。第二の椅子２２′から第三の椅子２３を引き出した後は、この座台収容部には別に準備した座台（マット等）２２０ａ′などを嵌め込む。このように本発明では、さらに複数の椅子を入子状に増設することで、椅子を四人掛け、五人掛けとすることも可能である。
【００２５】
［第三の実施形態］
図４は、本発明の椅子の第三の実施形態にかかり、（ａ）は第二の椅子及び第三の椅子を第一の椅子に収納した状態を示す斜視図、（ｂ）は第一の椅子から第二の椅子及び第三の椅子を左右に引き出した状態を示す斜視図である。
この実施形態の椅子３は、座台３１０とこの座台３１０の四隅近傍に設けられた四本の脚３１１と、座台３１０から立設された背もたれ３１２と、この背もたれ３１２の前面に配置され、座台３１０側に回動させることが可能な副背もたれ３１２ａとを有する第一の椅子３１と、座台３２０と、この座台３２０の一方側の二隅の近傍に配置された二本の脚３２１とを有し、第一の椅子３１に対して左方向に引き出される第二の椅子３２と、座台３３０と、この座台３３０の一方側の二隅の近傍に配置された二本の脚３３１とを有し、第一の椅子３１に対して右方向に引き出される第三の椅子３３とを有している。
【００２６】
第一の椅子３１の座台３１０は、第一の実施形態の椅子１における第一の椅子１１と同様に、後端縁又は前端縁と後端縁とを残して中央が凹状に形成されていて、その左半分に第二の椅子３２の座台３２０が収容され、その右半分に第三の椅子３３の座台３３０が収容される座台収容部（図に現れず）が設けられる。また、当該台収容部の底部の左右端には、第二の椅子３２の二本の脚３２１を収容するための長孔状の脚収容孔と、第三の椅子３３の二本の脚３３１を収容するための長孔状の脚収容孔とがそれぞれ二つずつ形成されている。
【００２７】
この実施形態においては、座台３１０の後端縁がスライドガイド３３として形成されている。スライドガイド３３の構成は第一の実施形態のスライドガイド１３と同じとしてもよい。また、後端縁と前端縁とをスライドガイドとして利用してもよい。
この実施形態の椅子３においては、通常は第一の椅子３１と一体になった状態で第二の椅子３２及び第三の椅子３３が収容されていて、第二の椅子３２の座台３２０及び第三の椅子３３の座台３３０が第一の椅子２１の座台２１０の一部を構成している。
【００２８】
混雑時などにより多くの人が椅子２を利用できるようにするには、第一の椅子３１から第二の椅子３２を左方向に引き出し、第三の椅子３３を右方向に引き出す。第二の椅子３２及び第三の椅子３３を引き出した後の座台収容部には、副背もたれ３１２ａを倒すことで、第一の椅子３１の座台とすることができる。
【００２９】
この実施形態においては、第一の椅子３１の左右方向の幅は、第一の実施形態の第一の椅子１１や第二の実施形態の第一の椅子２よりも大きく形成しておくのが好ましい。例えば第一の椅子３１の左右方向の幅を二人掛けできる程度の幅とすることで、第二の椅子３２及び第三の椅子３３を第一の椅子３１から左右に引き出せば、椅子３を四人掛けとすることができる。
【００３０】
本発明の好適な実施形態を説明したが、本発明は上記の説明に限定されない。
例えば、上記した第一の実施形態〜第三の実施形態は、それぞれ単独で実施することが可能であるが、図３に示した第二の実施形態の応用例の椅子２′において、第三の椅子２３の代わりに第一の実施形態の第二の椅子１２を用いるなど、適宜に組み合わせることも可能である。
また、背もたれ１１２，２１２，３１２は特に設けなくてもよく、この場合、副背もたれ２１２ａ，３１２ａは別に準備しておき、例えば椅子２，２′，３に設けたポケットに収容するなどするとよい。
また、図２〜４に示した第二の実施形態の椅子２，その応用例の椅子２′及び第三の実施形態の椅子３においては、第一の椅子２１，３１の座台２１０，３１０は、座台収容部２１０ａの底面から突出する前端縁及び後端縁を有しているが、前記前端縁を無くし、第二の椅子２２，３２の前端縁を第一の椅子２１，３１の前端縁と合わせることで、第二の椅子２２，３２を引き出したときに前端縁が直線状に揃った見栄えのよい椅子２，２′，３を得ることができるようなる。
【００３１】
さらに、本発明の椅子１，２，２′，３における第二の椅子１２，２２，２２′，３２及び第三の椅子２３，３３は、主として利用者が着座することを目的としているが、第一の椅子１１，２１，３１又は第二の椅子１２，２２，２２′，３２に着座した利用者が、手持ちの荷物を置くために利用してもよい。
また、図１〜４に示した実施形態では、第二の椅子１２，２２，２２′，３２は第一の椅子１１，２１，３１から直線的に左右方向に引き出されるものとして説明しているが、スライドガイドの取付角度を変えたり、湾曲状にしたりすることで、斜め方向や曲線状に引き出されるようにしてもよい。
【図面の簡単な説明】
【００３２】
【図１】本発明の椅子の第一の実施形態にかかり、（ａ）は第二の椅子を第一の椅子に収納した状態を示す斜視図、（ｂ）は第一の椅子から第二の椅子を引き出した状態を示す斜視図、（ｃ）はスライドガイドの断面図で、(i)は位置決めロック前の状態、(ii)は位置決めロック後の状態を示している。
【図２】本発明の椅子の第二の実施形態にかかり、（ａ）は第二の椅子を第一の椅子に収納した状態を示す斜視図、（ｂ）は第一の椅子から第二の椅子を引き出した状態を示す斜視図、（ｃ）は第一の椅子の座台収容部に副背もたれを倒して嵌め込んだ状態を示す斜視図である。
【図３】第二の実施形態の応用例にかかる椅子の斜視図である。
【図４】本発明の椅子の第三の実施形態にかかり、（ａ）は第二の椅子及び第三の椅子を第一の椅子に収納した状態を示す斜視図、（ｂ）は第一の椅子から第二の椅子及び第三の椅子を左右に引き出した状態を示す斜視図である。
【符号の説明】
【００３３】
１、２，３        椅子
１１、２１，３１      第一の椅子
１１０，２１０，３１０    座台
２１０ａ                  座台収容部
１１１，２１１，３１１    脚
１１２，２１２，３１２    背もたれ
２１２ａ，３１２ａ        副背もたれ
１２、２２，３２      第二の椅子
１２０，２２０，３２１    座台
１２１，２２１，３２１    脚
１３，２３                スライドガイド
１３１                ガイドレール
１３２                スライダ
１３３                ばね
１３４                凸対
２３、３３            第三の椅子
２３０，３３０            座台
２３１，３３１            脚
【図１】
2020171620.tif 000003
【図２】
2020171620.tif 000004
【図３】
2020171620.tif 000005
【図４】
2020171620.tif 000006
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
第一の座台及びこれを支持する第一の脚を有する第一の椅子と、前記第一の椅子に収納される第二の座台及びこの第二の座台を支持する第二の脚とを有する第二の椅子と、前記第二の椅子を引き出し方向に案内するガイドとを備え、
前記第一の座台下方の前記第一の脚の間に形成され、前記第二の椅子を引き出す際に前記第二の椅子と前記第一の脚とが干渉しないように前記第一の脚を配置することで形成された前記第二の椅子を収容するための空間部と、
前記空間部内に配置され、二つの前記第一の脚の間に架設して前記第一の座台の下面又は前記第一の脚に固定されたガイドレールと、前記第二の椅子に固定されて前記ガイドレールに案内されながら移動するスライダとを有する前記ガイドと、
を有することを特徴とする椅子。
【請求項２】
前記第二の脚に、床面との摩擦を低減して前記第二の椅子を引き出しやすくする摩擦低減手段を設けたことを特徴とする請求項１に記載の椅子。
【請求項３】
所定の引き出し位置で前記第二の椅子が移動しないように規制するストッパを設けたことを特徴とする請求項１又は２に記載の椅子。
【請求項４】
前記第二の椅子を左右両方向に引き出せるように構成したことを特徴とする請求項１〜３のいずれかに記載の椅子。
【手続補正２】
【補正対象書類名】明細書
【補正対象項目名】０００６
【補正方法】変更
【補正の内容】
【０００６】
上記課題を解決するために、請求項１に記載の発明は、第一の座台及びこれを支持する第一の脚を有する第一の椅子と、前記第一の椅子に収納される第二の座台及びこの第二の座台を支持する第二の脚とを有する第二の椅子と、前記第二の椅子を引き出し方向に案内するガイドとを備え、前記第一の座台下方の前記第一の脚の間に形成され、前記第二の椅子を引き出す際に前記第二の椅子と前記第一の脚とが干渉しないように前記第一の脚を配置することで形成された前記第二の椅子を収容するための空間部と、
前記空間部内に配置され、二つの前記第一の脚の間に架設して前記第一の座台の下面又は前記第一の脚に固定されたガイドレールと、前記第二の椅子に固定されて前記ガイドレールに案内されながら移動するスライダとを有する前記ガイドとを有することを特徴とする。
この構成によれば、通常は前記第一の椅子を椅子として使用し、混雑時などに前記第二の椅子を前記第一の椅子から引き出すことで、より多くの人が椅子を利用して座ることが可能になる。
【手続補正３】
【補正対象書類名】明細書
【補正対象項目名】０００７
【補正方法】変更
【補正の内容】
【０００７】
請求項２に記載するように、前記第二の脚には車輪など床面との摩擦を低減する摩擦低減手段を設けてもよい。また、請求項３に記載するように、引き出し位置で前記第二の椅子が移動しないように規制するストッパを設けるとよい。
車輪などの摩擦低減手段を設けることで、高齢者や幼児であっても引き出しが容易になる。摩擦低減手段を用いることで前記第二の椅子の使用中に前記第二の椅子が動き易くなって不安定になるというおそれがあるが、請求項３に記載するようなストッパを設けることで、前記第二の椅子を安定的に使用することができる。
請求項４に記載するように、前記第二の椅子を左右分割とし、左右に分割して引き出せるようにしてもよい。
【手続補正４】
【補正対象書類名】明細書
【補正対象項目名】０００８
【補正方法】変更
【補正の内容】
【０００８】
別の例では、前記第一の座台に前記第二の座台の収容部を形成し、前記第二の椅子を引き出した後に前記収容部に補助座台を嵌め込むようにしてもよい。この補助座台は、第一の椅子又は第二の椅子と別体であってもよいし、前記第一の椅子又は前記第二の椅子に設けられているものであってもよい。
【手続補正５】
【補正対象書類名】明細書
【補正対象項目名】０００９
【補正方法】変更
【補正の内容】
【０００９】
また、上記の別の例では、例えば前記第一の椅子の背もたれ又は前記背もたれの一部を前記補助座台で構成し、前記第二の椅子を引き出した後に、前記収容部に補助座台を倒して前記第一の座台の座面となるようにしてもよい。
このように構成すれば、前記第一の椅子の座面と前記第二の椅子の座面を同じ高さとすることができる。
【手続補正６】
【補正対象書類名】明細書
【補正対象項目名】００１０
【補正方法】変更
【補正の内容】
【００１０】
さらに別の例では、左右いずれの方向にも前記第二の椅子を引き出せる構成としてある。そして、前記第二の椅子を左右分割とし、左右に分割して引き出せるようにしてもよい。また、前記第二の椅子の他に第三の椅子を設け、第二の椅子から第三の椅子をさらに引き出せるように構成してもよい。